(57)【特許請求の範囲】
【請求項１】
被写体を撮像して画像情報を出力する撮像手段と、
前記画像情報を画像として現像する画像現像手段と、
前記現像された画像を記憶媒体に記録する画像記録手段と、
前記画像記録手段で記憶媒体に記録される画像の画質を決定する画質決定手段とを備え、
前記画像記録手段は、前記現像された画像を記憶媒体に記録する際に、第１の保存モードでは、前記記憶媒体にデジタルカメラフォーマットに従う第１フォルダ及び前記デジタルカメラフォーマットに従わない第２フォルダを作成し、前記第１フォルダには前記画質決定手段により決定された画質の前記デジタルカメラフォーマットに従った第１画像ファイルを保存し、前記第２フォルダには前記画質決定手段により決定された、前記第１画像の画質と異なる画質の前記デジタルカメラフォーマットに従わない第２画像ファイルを保存し、第２の保存モードでは、前記記憶媒体に前記第１フォルダのみを作成し、前記第１フォルダには前記第１画像ファイルのみを保存し、第３の保存モードでは、前記記憶媒体に前記第２フォルダのみを作成し、前記第２フォルダには前記第２画像ファイルのみを保存し、前記各ファイルのファイル名は名称部分と拡張子部分から構成され、前記第１の保存モードで前記第２画像ファイルを１つ保存する場合は、前記第２フォルダ内の前記第２画像ファイルの名称部分は前記第１フォルダ内の前記第１画像ファイルの名称部分と同一にし、前記第１の保存モードで前記第２画像ファイルを複数保存する場合は、前記第２フォルダ内の１つの前記第２画像ファイルの名称部分は前記第１フォルダ内の前記第１画像ファイルの名称部分と同一にし他の前記第２画像ファイルの名称部分は前記第１フォルダ内の前記第１画像ファイルの名称部分と同一にしないことを特徴とする画像保存装置。
【請求項２】
前記第２フォルダに保存される第２画像は、前記第１フォルダに保存される第１画像と比較して、サイズが小さい、シャープネスが高い、彩度が高い、及びアスペクト比が異なるの少なくともいずれか１つであることを特徴とする請求項１記載の画像保存装置。
【請求項３】
前記第２フォルダに保存される第２画像は、日時情報が埋め込まれていることを特徴とする請求項１又は２記載の画像保存装置。
【請求項４】
前記第２フォルダに保存される第２画像は、所定のデータ容量を上限としていることを特徴とする請求項１乃至３のいずれか１項記載の画像保存装置。
【請求項５】
前記第２フォルダに保存する第２画像ファイルの枚数を決定する保存枚数決定手段を有し、当該保存枚数決定手段で決定された枚数の第２画像ファイルを前記第２フォルダに保存することを特徴とする請求項１乃至４のいずれか１項記載の画像保存装置。
【請求項６】
前記撮像手段によって撮像された画像を表示する画像表示手段と、
前記画像表示手段に前記第１画像及び前記第２画像ファイルの画像を表示する第１表示モードと、前記画像表示手段に前記第１画像ファイルの画像のみを表示する第２表示モードと、前記画像表示手段に前記第２画像ファイルの画像のみを表示する第３表示モードとを有する表示モード選択手段とを備えることを特徴とする請求項１乃至５のいずれか１項記載の画像保存装置。
【請求項７】
前記画像表示手段は、前記第１画像ファイルの画像又は前記第２画像ファイルの画像の表示中に、当該表示中の画像が前記第１画像ファイルの画像であるか又は前記第２画像ファイルの画像であるかを識別する識別情報を同時に表示することを特徴とする請求項６記載の画像保存装置。
【請求項８】
前記記憶媒体に記憶された前記第１画像ファイル及び前記第２画像ファイルの少なくともいずれか１つを消去する画像消去手段を備えることを特徴とする請求項１乃至７のいずれか１項記載の画像保存装置。
【請求項９】
前記画像消去手段は、前記記憶媒体から前記第１画像ファイルを消去するときに、同時に消去する第１画像ファイルに対応する第２画像ファイルを消去することを特徴とする請求項８記載の画像保存装置。
【請求項１０】
外部機器と接続する接続手段と、
前記記憶媒体に記憶された前記第１画像ファイル及び前記第２画像ファイルの少なくともいずれか１つを前記接続手段を介して当該外部機器に送信する送信手段とを備え、
前記画像消去手段は当該外部機器に送信された画像ファイルを前記記憶媒体から消去することを特徴とする請求項８記載の画像保存装置。
【請求項１１】
前記送信手段により前記第２画像ファイルが当該外部機器に送信された場合は、前記画像消去手段は当該外部機器に送信された第２画像ファイル及び当該第２画像ファイルに対応する第１画像ファイルを前記記憶媒体から消去することを特徴とする請求項１０記載の画像保存装置。
【請求項１２】
前記撮像手段によって撮像された画像を表示する画像表示手段と、
前記画像表示手段で前記第１画像ファイルの画像を再生している場合に、前記第２画像ファイルを前記第２フォルダに保存することを指示する保存指示手段と、
前記保存指示手段の指示に従って、前記画像表示手段で再生されている第１画像ファイルの画像から前記第２画像ファイルの画像を作成する第２画像作成手段と
を備えることを特徴とする請求項１記載の画像保存装置。
【請求項１３】
被写体を撮像して画像情報を出力する撮像工程と、
前記画像情報を画像として現像する画像現像工程と、
前記現像された画像を記憶媒体に記録する画像記録工程と、
前記画像記録工程で記憶媒体に記録される画像の画質を決定する画質決定工程とを備え、
前記画像記録工程では、前記現像された画像を記憶媒体に記録する際に、第１の保存モードでは、前記記憶媒体にデジタルカメラフォーマットに従う第１フォルダ及び前記デジタルカメラフォーマットに従わない第２フォルダを作成し、前記第１フォルダには前記画質決定工程により決定された画質の前記デジタルカメラフォーマットに従った第１画像ファイルを保存し、前記第２フォルダには前記画質決定工程により決定された、前記第１画像の画質と異なる画質の前記デジタルカメラフォーマットに従わない第２画像ファイルを保存し、第２の保存モードでは、前記記憶媒体に前記第１フォルダのみを作成し、前記第１フォルダには前記第１画像ファイルのみを保存し、第３の保存モードでは、前記記憶媒体に前記第２フォルダのみを作成し、前記第２フォルダには前記第２画像ファイルのみを保存し、前記各ファイルのファイル名は名称部分と拡張子部分から構成され、前記第１の保存モードで前記第２画像ファイルを１つ保存する場合は、前記第２フォルダ内の前記第２画像ファイルの名称部分は前記第１フォルダ内の前記第１画像ファイルの名称部分と同一にし、前記第１の保存モードで前記第２画像ファイルを複数保存する場合は、前記第２フォルダ内の１つの前記第２画像ファイルの名称部分は前記第１フォルダ内の前記第１画像ファイルの名称部分と同一にし他の前記第２画像ファイルの名称部分は前記第１フォルダ内の前記第１画像ファイルの名称部分と同一にしないことを特徴とする画像保存方法。
【請求項１４】
画像保存装置で実行される制御プログラムにおいて、
被写体を撮像して画像情報を出力する撮像モジュールと、
前記画像情報を画像として現像する画像現像モジュールと、
前記現像された画像を記憶媒体に記録する画像記録モジュールと、
前記画像記録モジュールで記憶媒体に記録される画像の画質を決定する画質決定モジュールとを備え、
前記画像記録モジュールでは、前記現像された画像を記憶媒体に記録する際に、第１の保存モードでは、前記記憶媒体にデジタルカメラフォーマットに従う第１フォルダ及び前記デジタルカメラフォーマットに従わない第２フォルダを作成し、前記第１フォルダには前記画質決定モジュールにより決定された画質の前記デジタルカメラフォーマットに従った第１画像ファイルを保存し、前記第２フォルダには前記画質決定モジュールにより決定された、前記第１画像の画質と異なる画質の前記デジタルカメラフォーマットに従わない第２画像を保存し、第２の保存モードでは、前記記憶媒体に前記第１フォルダのみを作成し、前記第１フォルダには前記第１画像ファイルのみを保存し、第３の保存モードでは、前記記憶媒体に前記第２フォルダのみを作成し、前記第２フォルダには前記第２画像ファイルのみを保存し、前記各ファイルのファイル名は名称部分と拡張子部分から構成され、前記第１の保存モードで前記第２画像ファイルを１つ保存する場合は、前記第２フォルダ内の前記第２画像ファイルの名称部分は前記第１フォルダ内の前記第１画像ファイルの名称部分と同一にし、前記第１の保存モードで前記第２画像ファイルを複数保存する場合は、前記第２フォルダ内の１つの前記第２画像ファイルの名称部分は前記第１フォルダ内の前記第１画像ファイルの名称部分と同一にし他の前記第２画像ファイルの名称部分は前記第１フォルダ内の前記第１画像ファイルの名称部分と同一にしないことを特徴とする制御プログラム。
【発明の詳細な説明】
【技術分野】
【０００１】
本発明は、カメラ、デジタルカメラ、ビデオカメラ等の画像保存装置、画像保存方法及び制御プログラムに関する。
【背景技術】
【０００２】
近年、デジタルカメラの開発が盛んに行われている。デジタルカメラで撮影された画像は着脱可能なメディアに保存され、ＰＣでそのメディアに保存された画像が閲覧又は印刷される。
【０００３】
メディアに保存された画像の検索を容易にするために、撮影モード毎にフォルダを分けて撮影された画像を保存したり、レリーズスイッチ毎にフォルダを分けて撮影された画像を保存するデジタルカメラが知られている（特許文献１参照）。
【特許文献１】特開２００３−２０９７２５号公報
【発明の開示】
【発明が解決しようとする課題】
【０００４】
しかしながら、メディアの大容量化に伴い、大量の画像の中から印刷したい画像を見つけることは困難である。また、メモやＷＥＢサーバへのアップロード用に一枚の画像を撮影しても、その画像を探すのが困難になってきている。
【０００５】
本発明の目的は、大量の画像の中から所望の画像を容易に探し出すことができ、特に、デジタルカメラフォーマットに従う画像と従わない画像をそれぞれ必要の有無に応じて管理し易いようにフォルダに保存できるようにした画像保存装置、画像保存方法及び制御プログラムを提供することにある。
【課題を解決するための手段】
【０００６】
上記目的を達成するため、本発明の画像保存装置は、被写体を撮像して画像情報を出力する撮像手段と、前記画像情報を画像として現像する画像現像手段と、前記現像された画像を記憶媒体に記録する画像記録手段と、前記画像記録手段で記憶媒体に記録される画像の画質を決定する画質決定手段とを備え、前記画像記録手段は、前記現像された画像を記憶媒体に記録する際に、第１の保存モードでは、前記記憶媒体にデジタルカメラフォーマットに従う第１フォルダ及び前記デジタルカメラフォーマットに従わない第２フォルダを作成し、前記第１フォルダには前記画質決定手段により決定された画質の前記デジタルカメラフォーマットに従った第１画像ファイルを保存し、前記第２フォルダには前記画質決定手段により決定された、前記第１画像の画質と異なる画質の前記デジタルカメラフォーマットに従わない第２画像ファイルを保存し、第２の保存モードでは、前記記憶媒体に前記第１フォルダのみを作成し、前記第１フォルダには前記第１画像ファイルのみを保存し、第３の保存モードでは、前記記憶媒体に前記第２フォルダのみを作成し、前記第２フォルダには前記第２画像ファイルのみを保存し、前記各ファイルのファイル名は名称部分と拡張子部分から構成され、前記第１の保存モードで前記第２画像ファイルを１つ保存する場合は、前記第２フォルダ内の前記第２画像ファイルの名称部分は前記第１フォルダ内の前記第１画像ファイルの名称部分と同一にし、前記第１の保存モードで前記第２画像ファイルを複数保存する場合は、前記第２フォルダ内の１つの前記第２画像ファイルの名称部分は前記第１フォルダ内の前記第１画像ファイルの名称部分と同一にし他の前記第２画像ファイルの名称部分は前記第１フォルダ内の前記第１画像ファイルの名称部分と同一にしないことを特徴とする。
【０００７】
本発明の画像保存方法は、被写体を撮像して画像情報を出力する撮像工程と、前記画像情報を画像として現像する画像現像工程と、前記現像された画像を記憶媒体に記録する画像記録工程と、前記画像記録工程で記憶媒体に記録される画像の画質を決定する画質決定工程とを備え、前記画像記録工程では、前記現像された画像を記憶媒体に記録する際に、第１の保存モードでは、前記記憶媒体にデジタルカメラフォーマットに従う第１フォルダ及び前記デジタルカメラフォーマットに従わない第２フォルダを作成し、前記第１フォルダには前記画質決定工程により決定された画質の前記デジタルカメラフォーマットに従った第１画像ファイルを保存し、前記第２フォルダには前記画質決定工程により決定された、前記第１画像の画質と異なる画質の前記デジタルカメラフォーマットに従わない第２画像ファイルを保存し、第２の保存モードでは、前記記憶媒体に前記第１フォルダのみを作成し、前記第１フォルダには前記第１画像ファイルのみを保存し、第３の保存モードでは、前記記憶媒体に前記第２フォルダのみを作成し、前記第２フォルダには前記第２画像ファイルのみを保存し、前記各ファイルのファイル名は名称部分と拡張子部分から構成され、前記第１の保存モードで前記第２画像ファイルを１つ保存する場合は、前記第２フォルダ内の前記第２画像ファイルの名称部分は前記第１フォルダ内の前記第１画像ファイルの名称部分と同一にし、前記第１の保存モードで前記第２画像ファイルを複数保存する場合は、前記第２フォルダ内の１つの前記第２画像ファイルの名称部分は前記第１フォルダ内の前記第１画像ファイルの名称部分と同一にし他の前記第２画像ファイルの名称部分は前記第１フォルダ内の前記第１画像ファイルの名称部分と同一にしないことを特徴とする。
【０００８】
本発明の制御プログラムは、画像保存装置で実行される制御プログラムにおいて、被写体を撮像して画像情報を出力する撮像モジュールと、前記画像情報を画像として現像する画像現像モジュールと、前記現像された画像を記憶媒体に記録する画像記録モジュールと、前記画像記録モジュールで記憶媒体に記録される画像の画質を決定する画質決定モジュールとを備え、前記画像記録モジュールでは、前記現像された画像を記憶媒体に記録する際に、第１の保存モードでは、前記記憶媒体にデジタルカメラフォーマットに従う第１フォルダ及び前記デジタルカメラフォーマットに従わない第２フォルダを作成し、前記第１フォルダには前記画質決定モジュールにより決定された画質の前記デジタルカメラフォーマットに従った第１画像ファイルを保存し、前記第２フォルダには前記画質決定モジュールにより決定された、前記第１画像の画質と異なる画質の前記デジタルカメラフォーマットに従わない第２画像を保存し、第２の保存モードでは、前記記憶媒体に前記第１フォルダのみを作成し、前記第１フォルダには前記第１画像ファイルのみを保存し、第３の保存モードでは、前記記憶媒体に前記第２フォルダのみを作成し、前記第２フォルダには前記第２画像ファイルのみを保存し、前記各ファイルのファイル名は名称部分と拡張子部分から構成され、前記第１の保存モードで前記第２画像ファイルを１つ保存する場合は、前記第２フォルダ内の前記第２画像ファイルの名称部分は前記第１フォルダ内の前記第１画像ファイルの名称部分と同一にし、前記第１の保存モードで前記第２画像ファイルを複数保存する場合は、前記第２フォルダ内の１つの前記第２画像ファイルの名称部分は前記第１フォルダ内の前記第１画像ファイルの名称部分と同一にし他の前記第２画像ファイルの名称部分は前記第１フォルダ内の前記第１画像ファイルの名称部分と同一にしないことを特徴とする。
【発明の効果】
【０００９】
本願発明によれば、大量の画像の中から所望の画像を容易に探し出すことができる。特に、デジタルカメラフォーマットに従う画像と従わない画像をそれぞれ必要の有無に応じて管理し易いようにフォルダに保存でき、両方を保存する場合はデジタルカメラフォーマットに従わない画像を必要な枚数に応じてデジタルカメラフォーマットに従う画像との関係を考慮した上で参照しやすくなる。
【発明を実施するための最良の形態】
【００１０】
以下、図面を参照して本発明の実施の形態を説明する。
【００１１】
図１は、本発明の実施の形態に係る画像保存装置の構成を示すブロック図である。
【００１２】
同図において、画像保存装置はデジタルカメラ１００である。
【００１３】
１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。
【００１４】
１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００１５】
２０は画像処理回路であり、Ａ／Ｄ変換器１６からのデータ又はメモリ制御回路２２からのデータに対して所定の画素補間処理や色変換処理を行う。
【００１６】
さらに、画像処理回路２０は、撮像した画像データを用いて所定の演算処理を行い、これにより得られた演算結果に基づいてＴＴＬ方式のＡＷＢ（オートホワイトバランス）処理も行っている。
【００１７】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００１８】
Ａ／Ｄ変換器１６のデータが画像処理回路２０及びメモリ制御回路２２を介して、又はメモリ制御回路２２のみを介して、画像表示メモリ２４又はメモリ３０に書き込まれる。
【００１９】
２４は画像表示メモリ、２６はＤ／Ａ変換器、２８はＴＦＴ−ＬＣＤ（Thin Film Transistor - Liquid Crystal Display）等から成る画像表示部であり、画像表示メモリ２４に書き込まれた表示用の画像データはＤ／Ａ変換器２６を介して画像表示部２８により表示される。画像表示部２８を用いて撮像した画像データを逐次表示すれば、電子ファインダー機能を実現することが可能である。
【００２０】
また、画像表示部２８は、システム制御回路５０の指示により任意に表示をＯＮ／ＯＦＦすることが可能であり、表示をＯＦＦにした場合にはデジタルカメラ１００の電力消費を大幅に低減することができる。
【００２１】
３０は撮影した静止画像や動画像を格納するためのメモリであり、所定枚数の静止画像や所定時間の動画像を格納するのに十分な記憶量を備えている。これにより、複数枚の静止画像を連続して撮影する連射撮影やパノラマ撮影の場合にも、高速かつ大量の画像書き込みをメモリ３０に対して行うことが可能となる。また、メモリ３０はシステム制御回路５０の作業領域としても使用することが可能である。
【００２２】
３２は適応離散コサイン変換（ＡＤＣＴ）等により画像データを圧縮伸長する圧縮・伸長回路であり、メモリ３０に格納された画像を読み込んで圧縮処理又は伸長処理を行い、いずれかの処理を終えたデータをメモリ３０に書き込む。
【００２３】
４０は絞り機能を備えるシャッター１２を制御する露光制御部であり、フラッシュ４８と連携することによりフラッシュ調光機能も有する。
【００２４】
４２は撮影レンズ１０のフォーカシングを制御する測距制御部であり、４４は撮影レンズ１０のズーミングを制御するズーム制御部であり、４６は保護部１０２の動作を制御するバリア制御部である。
【００２５】
４８はフラッシュであり、ＡＦ補助光の投光機能及びフラッシュ調光機能を有する。
【００２６】
システム制御回路５０は画像処理回路２０で得られた演算結果に基づいて露光制御部４０及び測距制御部４２に対して制御を行う。これにより、露光制御部４０及び測距制御部４２により、ＴＴＬ（スルー・ザ・レンズ）方式のＡＦ（オートフォーカス）処理、ＡＥ（自動露出）処理、ＥＦ（フラッシュプリ発光）処理等が行われる。さらに、システム制御回路５０はデジタルカメラ１００全体を制御する。
【００２７】
５２はシステム制御回路５０の動作用の定数、変数及びプログラム等を記憶するメモリである。
【００２８】
５４はシステム制御回路５０でのプログラムの実行に応じて、文字、画像又は音声等を用いて動作状態やメッセージ等を表示及び発音する表示／発音部である。
【００２９】
表示／発音部５４は、例えばＬＣＤやＬＥＤ、発音素子等の組み合わせにより構成されている。また、表示／発音部５４の一部の表示機能は、光学ファインダー１０４内に設置されている。
【００３０】
表示／発音部５４の表示内容のうち、ＬＣＤ等に表示するものとしては、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００，２１０の着脱状態表示、通信Ｉ／Ｆ動作表示、及び日付け・時刻表示等がある。
【００３１】
また、表示／発音部５４の表示内容のうち、光学ファインダー１０４内に表示するものとしては、合焦表示、手振れ警告表示、フラッシュ充電表示、シャッタースピード表示、絞り値表示、及び露出補正表示等がある。５６は電気的に消去・記録可能な不揮発性メモリであり、例えばＥＥＰＲＯＭ等が用いられる。
【００３２】
６０、６２、６４、６６、６８及び７０は、システム制御回路５０の各種の動作指示を入力するための操作手段であり、スイッチやダイヤル、タッチパネル、視線検知によるポインティング、音声認識装置等の単数或いは複数の組み合わせで構成される。
【００３３】
６０はモードダイヤルスイッチで、電源オフ、自動撮影モード、撮影モード、パノラマ撮影モード、再生モード、マルチ画面再生・消去モード、ＰＣ接続モード等の各機能モードを切り替え設定することができる。本実施の形態では、特にこのモードダイヤルスイッチ６０によって、別ディレクトリに画像データを保存するか否かの切り替えを行う。
【００３４】
６２はシャッタースイッチＳＷ（１）で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００３５】
６４はシャッタースイッチＳＷ（２）で、不図示のシャッターボタンの操作完了でＯＮとなり、撮像素子１４から読み出した信号をＡ／Ｄ変換器１６及びメモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００又は２１０に画像データを書き込む記録処理という一連の処理の動作開始を指示する。
【００３６】
６６は画像表示ＯＮ／ＯＦＦスイッチで、画像表示部２８のＯＮ／ＯＦＦを設定することができる。この機能により、光学ファインダー１０４を用いて撮影を行う際に、ＴＦＴーＬＣＤ等から成る画像表示部２８への電流供給を遮断することにより、省電力を図ることが可能となる。
【００３７】
６８はクイックレビューＯＮ／ＯＦＦスイッチで、撮影直後に撮影した画像データを自動再生するクイックレビュー機能を設定する。
【００３８】
７０は各種ボタンやタッチパネル等からなる操作部で、メニューボタン、セットボタン、マクロボタン、マルチ画面再生改ページボタン、フラッシュ設定ボタン、単写/連写/セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、及び日付／時間設定ボタン等がある。後述する第２画像データを保存する指定も操作部７０で行うことができる。撮影画質選択ボタンの設定によりシステム制御回路５０では、後述する第１画像や第２画像の画質が設定される。
【００３９】
８０は電源制御部で、電池検出回路、ＤＣ−ＤＣコンバータ、及び通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を所定期間、記録媒体を含む各部へ供給する。
【００４０】
８２，８４はコネクタであり、８６はアルカリ電池やリチウム電池等の一次電池やNiCd電池やNiMH電池、Li電池等の二次電池、ACアダプター等からなる電源部である。
【００４１】
９０及び９４はメモリカードやハードディスク等の記録媒体とのインタフェースであり、９２及び９６はメモリカードやハードディスク等の記録媒体と接続を行うコネクタであり、９８はコネクタ９２又は９６に記録媒体２００又は２１０が装着されているか否かを検知する記録媒体着脱検知部である。
【００４２】
本実施の形態では、デジタルカメラ１００が記録媒体を取り付けるインターフェース及びコネクタを２つ備えているが、記録媒体を取り付けるインターフェース及びコネクタは、単数でも複数でもよい。また、異なる規格のインターフェース及びコネクタを組み合わせて備える構成としてもよい。インターフェース及びコネクタは、PCMCIAカードやCF（コンパクトフラッシュ（登録商標））カード等の規格に準拠したものを用いて構成してもよい。
【００４３】
さらに、インタフェース９０，９４及びコネクタ９２，９６をPCMCIAカードやCF（コンパクトフラッシュ（登録商標））カード等の規格に準拠したものを用いて構成した場合、LANカードやモデムカード、USBカード、IEEE1394カード、P1284カード、SCSIカード、及びPHSの通信カード等の各種通信カードを上記インタフェース及びコネクタに接続することにより、コンピュータ又はプリンタ等の周辺機器との間で画像データや画像データに付属した管理情報を送受信することができる。
【００４４】
保護部１０２は、デジタルカメラ１００のレンズ１０やその周辺を覆う事により、レンズ１０やその周辺の汚れや破損を防止する。
【００４５】
光学ファインダ１０４は、画像表示部２８による電子ファインダー機能を使用することなしに、光学ファインダのみを用いて撮影を行うことが可能である。
【００４６】
１１０は通信部であり、RS232CやUSB、IEEE1394、P1284、SCSI、モデム、LAN、及び無線通信等の通信機能を有する。
【００４７】
１１２は通信部１１０によりデジタルカメラ１００を他の機器と接続するコネクタ（無線通信の場合はアンテナ）である。
【００４８】
記録媒体２００はメモリカードやハードディスク等であり、半導体メモリや磁気ディスク等から構成される記録部２０２、デジタルカメラ１００とのインタフェース２０４、及びデジタルカメラ１００と接続を行うコネクタ２０６を備えている。
【００４９】
記録媒体２１０もメモリカードやハードディスク等であり、半導体メモリや磁気ディスク等から構成される記録部２１２、デジタルカメラ１００とのインタフェース２１４、及びデジタルカメラ１００と接続を行うコネクタ２１６を備えている。
【００５０】
以下、デジタルカメラ１００で実行される画像保存処理を説明する。
【００５１】
本実施の形態では、プリント目的の画像を撮影時に通常のフォルダとは別のフォルダに保存するものとする。また、オリジナルの画像を第１画像といい、プリント用の画像を第２画像という。
【００５２】
第２画像は、オリジナルの画像（第１画像）をプリント用にサイズや画質が最適化した画像で、ファイルサイズをオリジナルの画像（第１画像）よりも小さくしてあり、アスペクト比もプリント用紙にあわせたものとし、シャープネスや彩度はオリジナルの画像（第１画像）よりも高く設定している。また、第２画像には日時情報をＹＵＶデータとして埋め込んでいる。これらの設定は、操作部７０を介してシステム制御回路５０に設定される。
【００５３】
特に、操作部７０の撮影画質選択ボタンの設定によりシステム制御回路５０では、第１画像や第２画像の画質が設定される。
【００５４】
設定内容は、これに限定されす、システム制御回路５０のプログラムに従って、様々な設定が可能である。
【００５５】
図２は、デジタルカメラ１００の画像保存処理を示すフローチャートである。本処理は主としてシステム制御回路５０が実行する。
【００５６】
シャッタースイッチＳＷ（２）６４の押し下げが検知されると、撮影が開示される（ステップＳ２０１）。撮影された画像はレックレビューモードで表示／発音部５４に表示される（ステップＳ２０２）。
【００５７】
モードダイヤルスイッチ６０が、第１画像及び第２画像を保存するモードである否かを判別し（ステップＳ２０３）、モードダイヤルスイッチ６０が第１画像及び第２画像を保存するモードである場合には、そのモードの設定に従い、記録媒体２００又は記録媒体２１０に第１のフォルダを作成し、ＤＣＦ（デジタルカメラフォーマット）及び撮影画質選択ボタンの画質設定に従って第１画像を作成し、当該作成された第１画像を記録媒体２００又は記録媒体２１０の第１のフォルダに保存する（ステップＳ２０７）。
【００５８】
また、レックレビューモード中に第２画像の記録媒体２００又は記録媒体２１０への保存枚数を操作部７０を介して指定されると（ステップＳ２１０）、記録媒体２００又は記録媒体２１０に第２のフォルダが作成され、ステップＳ２１０で指定された枚数だけ、撮影画質選択ボタンの画質設定に従った第２画像を作成し、当該作成された第２画像を記録媒体２００又は記録媒体２１０の第２のフォルダに保存して（ステップＳ２１１）、本処理を終了する。この第２画像のファイル名は、特にＤＣＦ（デジタルカメラフォーマット）に従う必要はない。
【００５９】
ステップＳ２０３の判別の結果、モードダイヤルスイッチ６０が、第１画像及び第２画像を保存するモードでない場合には、表示／発音部５４で第２画像を保存するかしないかを聞かれるモードであるか否かを判別する（ステップＳ２０４）。
【００６０】
ステップＳ２０４の判別の結果、表示／発音部５４で第２画像を保存するかしないかを聞かれるモードである場合には、操作部７０を介して第２画像を保存するが選択されたか否かを判別する（ステップＳ２０８）。
【００６１】
ステップＳ２０８の判別の結果、操作部７０を介して第２画像を保存するが選択された場合には、上記ステップＳ２０７に進む。一方、操作部７０を介して第２画像を保存するが選択されない場合には、後述するステップＳ２０９に進む。
【００６２】
上記ステップＳ２０４の判別の結果、表示／発音部５４で第２画像を保存するかしないかを聞かれるモードでない場合には、モードダイヤルスイッチ６０が第１画像しか保存しないモードであるか否かを判別する（ステップＳ２０５）。
【００６３】
ステップＳ２０５の判別の結果、モードダイヤルスイッチ６０が第１画像しか保存しないモードである場合は、そのモードの設定に従い、記録媒体２００又は記録媒体２１０に第１のフォルダを作成し、ＤＣＦ（デジタルカメラフォーマット）及び撮影画質選択ボタンの画質設定に従って第１画像のみを作成し、当該作成された第１画像を記録媒体２００又は記録媒体２１０の第１のフォルダに保存して（ステップＳ２０９）、本処理を終了する。
【００６４】
ステップＳ２０５の判別の結果、モードダイヤルスイッチ６０が第１画像しか保存しないモードでない場合は、モードダイヤルスイッチ６０が第２画像しか保存しないモードなので（ステップＳ２０６）、第２画像の記録媒体２００又は記録媒体２１０への保存枚数を操作部７０を介して指定するために、ステップＳ２１０に進む。
【００６５】
この画像保存処理では、デジタルカメラ１００に保存モードとして第１画像及び第２画像をそれぞれ記録媒体２００又は記録媒体２１０の第１及び第２のフォルダに保存するモードと、第１画像及び第２画像のいずれか一方を記録媒体２００又は記録媒体２１０の第１又は第２のフォルダに保存するモードとがある（ステップＳ２０３〜Ｓ２０６）が、必ずしもこれらの全てのモードが含まれている必要はない。
【００６６】
また、第２画像は、画像サイズ、アスペクト比、シャープネス又は彩度の点で第１画像と異なっているが、その他のパラメータを変更してもよいことは言うまでもない。また、第２画像には日時情報がＹＵＶデータとして埋め込まれるが、デジタルカメラ１００が日時情報埋め込みのＯＮ／ＯＦＦの設定をするための日時情報埋め込み設定部や第２画像のパラメータ自体を設定するパラメータ設定部を備えていてもよい。さらに、第２画像のファイルサイズ（データ容量）として所定の上限値を設定する上限値設定部をもうけてもよい。
【００６７】
また、上記画像保存処理では、オリジナルの画像（第１画像）が保存される第１のフォルダと異なる第２のフォルダにプリント用の画像（第２画像）が保存される例を説明したが、他にもＷＥＢアップロード用の画像（以下、第３画像という）を別フォルダに保存してもよい。例えば、アップロードする環境によってはファイルサイズの上限が決められているために、その上限のサイズのファイルを作成して保存する場合に適用される。
【００６８】
また、モードダイヤルスイッチ６０が再生モードであり、表示／発音部５４で第１画像が表示されている場合に、システム制御回路５０は、操作部７０からの第２画像を保存する指示により再生表示されている第１画像から第２画像を生成するようにしてもよい。
【００６９】
図３は記録媒体２００のフォルダ構成を示す図である。
【００７０】
図３において、３１はＤＣＦ（デジタルカメラフォーマット）に従った第１画像を保存する第１のフォルダであり、３２は第２画像を保存する第２のフォルダであり、３３は第３画像を保存する第３のフォルダである。記録媒体２００に第１画像、第２画像又は第３画像を保存するときに、システム制御回路５０によって各フォルダは作成される。第２のフォルダ及び第３フォルダには、それぞれ撮影日時別にサブフォルダが作成される。第２画像又は第３画像のファイル名は、第１画像のファイル名と同一である。第２画像又は第３画像のファイル名として第１画像のファイル名と異なるファイル名を使用する場合には、第１画像のファイル名とこれに対応する第２画像又は第３画像のファイル名のリンクさせるリンク用のファイルを作成し、作成されたリンク用のファイルを記録媒体２００に保存する。
【００７１】
第１画像はＤＣＦ（デジタルカメラフォーマット）に従っているが、第２画像及び第３画像はＤＣＦ（デジタルカメラフォーマット）に従っていなくてもよい。
【００７２】
また、図３に示すように、ファイル名IMG_0202.JPGの第１画像を第２のフォルダに２枚保存する場合には、ファイル名はIMG_0202.JPG、IMG_0202_2.JPGとされる。
【００７３】
記録媒体２０１のフォルダ構成は、記録媒体２００のフォルダ構成と同様であるので、その説明は省略する。
【００７４】
図４は、画像再生処理を示すフローチャートである。本処理は主としてシステム制御回路５０が実行する。また、本フローチャートでは、記録媒体２００に第１画像及び第２画像のみが保存されているものとする。
【００７５】
まず、モードダイヤルスイッチ６０の状態を読み込み（ステップＳ４０１）、モードダイヤルスイッチ６０の状態が第１画像と第２画像の両方を再生するモードであるか否かを判別する（ステップＳ４０２）。
【００７６】
ステップＳ４０２の判別の結果、第１画像と第２画像の両方を再生するモードである場合には、現在、表示／発音部５４で表示中の画像が第１画像であるか否かを判別する（ステップＳ４０３）。第１画像と第２画像の両方を再生するモードである場合には、システム制御回路５０は第１画像を再生した後に第２画像を再生するが、第２画像を再生した後に第１画像を再生するようにしてもよい。
【００７７】
ステップＳ４０３の判別の結果、現在、表示／発音部５４で表示中の画像が第１画像である場合には、第１画像が再生中であることを示すアイコンを表示／発音部５４に表示する（ステップＳ４０４）。一方、現在、表示／発音部５４で表示中の画像が第１画像でない場合、即ち、表示／発音部５４で表示中の画像が第２画像である場合には、第２画像が再生中であることを示すアイコンを表示／発音部５４に表示する（ステップＳ４０５）。
【００７８】
さらに、ステップＳ４０４又はステップＳ４０５のアイコンの表示に加えて、第１画像と第２画像の両方の画像を再生するモードであることを示すアイコンを表示／発音部５４に表示する（ステップＳ４０６）。
【００７９】
その後、第１画像と第２画像の両方の画像の再生が終了したか否かを判別し（ステップＳ４０７）、両方の画像の再生が終了している場合には、本処理を終了する一方、両方の画像の再生が終了していない場合には、ステップＳ４０３に戻る。
【００８０】
上記ステップＳ４０２の判別の結果、第１画像と第２画像の両方を再生するモードでない場合には、モードダイヤルスイッチ６０の状態が第１画像だけを表示するモードであるか否かを判別する（ステップＳ４０８）。
【００８１】
ステップＳ４０８の判別の結果、第１画像だけを表示するモードである場合は、第１画像だけを表示するモードであることを示すアイコンを表示／発音部５４に表示する（ステップＳ４０９）。その後、第１画像の再生が終了したか否かを判別し（ステップＳ４１０）、第１画像の再生が終了している場合には、本処理を終了する一方、第１画像の再生が終了していない場合には、ステップＳ４０９に戻る。
【００８２】
ステップＳ４０８の判別の結果、第１画像だけを表示するモードでない場合、即ち、第２画像だけを表示するモードである場合は、第２画像だけを表示するモードであることを示すアイコンを表示／発音部５４に表示する（ステップＳ４１１）。その後、第２画像の再生が終了したか否かを判別し（ステップＳ４１２）、第２画像の再生が終了している場合には、本処理を終了する一方、第２画像の再生が終了していない場合には、ステップＳ４１１に戻る。
【００８３】
以上詳細に説明したように、本実施の形態によれば、画像を記憶媒体２００（又は記録媒体２１０）に記録する際に、自動的に記憶媒体２００（又は記録媒体２１０）に第１フォルダ及び第２フォルダが作成され（ステップＳ２０７，Ｓ２０９，Ｓ２１１）、第１フォルダには、操作部７０の撮影画質選択ボタンの押下により決定された画質の第１画像が自動的に保存され、第２フォルダには操作部７０の撮影画質選択ボタンの押下により決定された、第１画像の画質と異なる画質の第２画像が自動的に保存される（ステップＳ２０７，Ｓ２０９，Ｓ２１１）。これにより、例えば、プリント用の画像のみが、オリジナルの画像を格納するフォルダとは異なるフォルダに集約されるので、大量の画像の中から所望の画像を容易に探し出すことができる。
【００８４】
ユーザーは第２のフォルダの画像のみをプリント用にＰＣに取り込んだり、直接プリントすることができ、しかも第２画像はプリント用に最適化されているので、使い勝手がよく良質のプリントを得ることが可能となる。また、プリントが終了した場合、第１画像が残っているために、第２画像は消去することができるため、画像の整理にも役立つ効果がある。
【００８５】
また、ＷＥＢアップロード用やプリント用の画像を１枚撮影したいときなどに、撮影の設定を変更することなしに、通常の撮影でＷＥＢアップロード用やプリント用の画像が自動的に作成されるので、設定変更の手間も省くことが可能である。また、第２画像（プリント用画像）を、第１画像のレックレビュー中や再生中などの状況で作成できるために、大変便利である。
【００８６】
本実施の形態では、第１画像を表示している場合に、表示／発音部５４でこれに対応する第２画像があるか否かの表示を行うようにしてもよい。また、第１画像を消去した場合には、これに対応する第２画像も同時に消去するようにしてもよい。これにより、煩雑な操作が軽減される効果がある。
【００８７】
また、本実施の形態において、通信部１１０を介して、デジタルカメラをパソコンなどの外部機器に接続し、当該外部機器に第１画像又は第２画像を送信した場合は、システム制御回路５０は当該送信された画像を記録媒体２００又は記録媒体２１０から消去するようにしてもよい。また、当該外部機器に第２画像を送信した場合は、システム制御回路５０は当該送信された第２画像及びこれに対応する第１画像を記録媒体２００又は記録媒体２１０から消去するようにしてもよい。
【００８８】
また、本発明の目的は、実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出して実行することによっても達成される。
【００８９】
この場合、記憶媒体から読み出されたプログラムコード自体が前述した実施の形態の機能を実現することになり、そのプログラムコード及び該プログラムコードを記憶した記憶媒体は本発明を構成することになる。
【００９０】
又、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。または、プログラムコードをネットワークを介してダウンロードしてもよい。
【００９１】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【００９２】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれる。
【図面の簡単な説明】
【００９３】
【図１】本発明の実施の形態に係る画像保存装置の構成を示すブロック図である。
【図２】デジタルカメラ１００の画像保存処理を示すフローチャートである。
【図３】記録媒体２００のフォルダ構成を示す図である。
【図４】画像再生処理を示すフローチャートである。
【符号の説明】
【００９４】
１４  撮像素子
２０  画像処理回路
２２  メモリ制御回路
４０  露光制御部
４２  測距制御部
４４  ズーム制御部
４６  バリア制御部
５０  システム制御回路
６０  モードダイヤルスイッチ
７０  操作部
１１０  通信部
１１２  コネクタ（またはアンテナ）
２００，２１０  記録媒体
【図１】
0004546347.tif 000002
【図２】
0004546347.tif 000003
【図３】
0004546347.tif 000004
【図４】
0004546347.tif 000005